(57)【特許請求の範囲】
【請求項１】
散剤を服用量ずつ分包する薬剤分包装置であって、
散剤受け溝を有する１つの散剤分割用回転テーブルと、この散剤分割用回転テーブルの散剤受け溝内に散剤を供給する２つのフィーダと、前記散剤受け溝内に供給された散剤を１分包量ずつ掻き落とす掻き落とし羽根とを有する散剤分割供給部を備えるとともに、前記散剤分割供給部の上方に固形剤を分割供給する固形剤分割供給部を備え、
前記２つのフィーダが、当該薬剤分包装置の前部でかつそれぞれの振りまき口を向かい合わせにして配置され、
前記固形剤分割供給部の左右方向長さが当該薬剤分包装置の左右方向長さの１／２以下になるように配置される
ことを特徴とする薬剤分包装置。
【請求項２】
前記固形剤分割供給部は一分包量の固形剤を入れる分割マスが水平方向に複数個並べられてなり、この分割マスの深さが、１つの分割マス分の幅、奥行きの寸法より深いものである請求項１に記載の薬剤分包装置。
【請求項３】
前記フィーダは、散剤が散剤分割用回転テーブルに供給されるのを堰き止めるための堰き止め手段を備える請求項１または２に記載の薬剤分包装置。
【発明の詳細な説明】
【０００１】
【発明の属する技術分野】
本発明は、薬剤分包装置に関し、より詳しくは病院等における調剤に際して、散剤，固形剤の分包操作を任意に組み合わせて分包する薬剤分包装置に関するものである。
【０００２】
【従来の技術】
従来、病院もしくは診療所等の薬局においては、多量の調剤を行うために散剤および錠剤・カプセル等の固形剤を処方箋に基づいて分包機で分割包装（以下、分包という）している。
【０００３】
この分包に際して、散剤および固形剤はいずれも調剤によって多くの組み合わせがあり、また服用する回数もその組み合わせに加えられることから、従来は一回の服用分として散剤と錠剤・カプセルとを同時分包するか、あるいは一回の服用分として散剤と錠剤・カプセルとを別個に分包している。この場合、散剤も複数になるとそれぞれ別個に分包している。
【０００４】
しかしながら、このような分包方法によると１包に散剤や錠剤・カプセル等の固形剤（以下、錠剤という）を同時包装すると分包量が多い場合に嵩張って以後の取扱に不便であるという問題点がある。また、散剤と錠剤とをそれぞれ１種類ずつ分包する方法によると分包数が過剰になるため、患者が服用時に１回の服用量を誤る恐れがあるという問題点がある。
【０００５】
このような問題点を解消するために、特開平５−３１０２０２号公報に散剤と固形剤との分包の組合せを自在に選択でき、１服用単位で合理的な薬剤の分包を行うことができる薬剤分包装置が公表されている。
【０００６】
前記公報に記載の薬剤分包装置１０１は図４に示されるように同一水平面に並設されて一定速度で回転されている２つの回転テーブル１０２に、それぞれ１つずつ設けられている振動フィーダ１０３によって、所要量の薬剤が一定の搬送速度で供給されている。この薬剤は、回転テーブル１０２の環状凹溝１０４に盛り上げられた後回転掻き落とし羽根１０５を環状凹溝１０４に降ろして、この回転掻き落とし羽根１０５で環状凹溝１０４内の薬剤を所要分割数に応じ、等分して切り出し、その切り出された分量の薬剤が順次分包されている。
【０００７】
【発明が解決しようとする課題】
しかしながら、この図４に示される分包装置では、予め作られている２種類以上の混合薬を１つの振動フィーダで供給する場合に、比重の違いにより混合薬が分離してしまう恐れがあるという問題点がある。また、このような混合薬の分離を避けるために２種類以上の薬剤を１種類ずつ振動フィーダで回転テーブルに供給するのでは、非常に時間がかかるという問題点がある。さらに、同一水平面に２つの回転テーブルが並設されるので、分包装置が大型化してしまうという問題点もある。
【０００８】
本発明は、このような問題点を解消するためになされたものであり、小型で取り扱う薬剤を処方箋に応じて合理的な条件で短時間に分包することのできる薬剤分包装置を提供することを目的とするものである。
【０００９】
【課題を解決するための手段および作用・効果】
本発明による薬剤分包装置は、前記目的を達成するために、
散剤を服用量ずつ分包する薬剤分包装置であって、
散剤受け溝を有する１つの散剤分割用回転テーブルと、この散剤分割用回転テーブルの散剤受け溝内に散剤を供給する２つのフィーダと、前記散剤受け溝内に供給された散剤を１分包量ずつ掻き落とす掻き落とし羽根とを有する散剤分割供給部を備えるとともに、前記散剤分割供給部の上方に固形剤を分割供給する固形剤分割供給部を備え、
前記２つのフィーダが、当該薬剤分包装置の前部でかつそれぞれの振りまき口を向かい合わせにして配置され、
前記固形剤分割供給部の左右方向長さが当該薬剤分包装置の左右方向長さの１／２以下になるように配置される
ことを特徴とするものである。
【００１０】
本発明においては、散剤は少なくとも１つのフィーダから散剤分割用回転テーブルの散剤受け溝内に供給され、この散剤受け溝内に供給された散剤は掻き落とし羽根により１分包量ずつ掻き落とされて分包される。例えば、１種類の散剤が分包される場合は散剤が１つのフィーダから散剤分割用回転テーブルの散剤受け溝内に供給され、その間他方のフィーダに同種の散剤が準備され、先の散剤が分割供給された後、他方のフィーダに準備されていた同種の散剤が散剤分割用回転テーブルの散剤受け溝内に供給される。また、２種類以上の散剤を分包する場合は前記と同様に１つのフィーダから散剤が散剤分割用回転テーブルの散剤受け溝内に供給され、その間に他方のフィーダに異種の散剤が準備され、先の散剤が分割供給された後、他方のフィーダに準備されていた散剤が散剤分割用回転テーブルの散剤受け溝内に供給され、分割される。これを繰り返し行えば２種類以上の散剤の分包を短時間で行うことができる。さらに、２種類の散剤を混合薬として分包する場合は２つのフィーダから同時にそれぞれ１種類ずつ散剤が散剤分割用回転テーブルの散剤受け溝内に供給されてその散剤受け溝内で散剤が混合されて混合薬の分包が行われる。また、３種類以上の散剤を混合薬として分包する場合は、２種類の散剤をそれぞれのフィーダから散剤分割用回転テーブルの散剤受け溝内に供給した後、再び異種の散剤をその散剤受け溝内に供給する。この作動を繰り返し行うことにより散剤受け溝内で２種類以上の散剤が混合され、掻き落とし羽根により１分包量ずつ掻き落とされて分包される。
【００１１】
したがって、１つの散剤分割用回転テーブルで複数の散剤の分包が可能となり、薬剤分包装置をかなり小型化することができる。また、混合薬を分包する際に予め混合薬を作る必要がなくなるとともに、予め作られた混合薬を散剤分割用回転テーブルに供給する際に生じる混合薬の比重の違いによる分離を恐れる必要がなくなる。さらに、従来１つのフィーダから１種類ずつの散剤の供給が行われていたのに対し、２種類の散剤を同時に供給することができるため、混合薬に含まれる散剤の種類が増えても時間短縮を行うことができる。
【００１２】
また、本発明によれば、前記散剤分割供給部の上方に固形剤を分割供給する固形剤分割供給部が設けられているので、例えば固形剤と散剤とを同時または交互に分包したり散剤を分包した後に固形剤を分包する等、固形剤と散剤との分包の組合せが自在に選択できる。したがって、各種薬剤の分包作業を１台の薬剤分包装置で簡単に行うことができ、かつ１服用単位で合理的な薬剤の分包を行うことができる。
【００１３】
さらに、本発明において、前記固形剤分割供給部の左右方向長さが当該薬剤分包装置の左右方向長さの１／２以下であるので、薬剤分包装置を小型化できるとともに、効率的に散剤と固形剤とを任意に組み合わせて分包することができる。
【００１４】
本発明において、前記固形剤分割供給部は一分包量の固形剤を入れる分割マスが水平方向に複数個並べられてなり、この分割マスの深さ（長さ）が、１つの分割マス分の幅、奥行きの寸法より深い（長い）ものであるのが好ましい。こうすることで、分割マスの個数および分割マスに収納可能な固形剤の数を減らすことなく、固形剤の分割供給部の幅を小さくすることができ、装置のより小型化を図ることができる。
【００１５】
また、本発明において、前記フィーダは、散剤が散剤分割用回転テーブルに供給されるのを堰き止めるための堰き止め手段を備えるのが好ましい。例えば、２種類の散剤を分包する際に一方のフィーダで散剤が散剤分割用回転テーブルに供給されている間に、他方のフィーダに異種の散剤を準備し、前記堰き止め手段で堰き止めしておく。なお、この堰き止め手段は薬剤量および薬剤手段により開口幅を設定可能にするのが良い。次いで、散剤分割用回転テーブルに供給された散剤が分包された後、堰き止め手段が開放されてフィーダに準備されている散剤が散剤分割用回転テーブルに供給される。したがって、２種類の散剤を分包する際の完了時間をかなり短縮することができるとともに、フィーダに準備されている散剤が不用意に散剤分割用回転テーブルにこぼれ落ちるのを防ぐことができる。
【００１６】
【発明の実施の形態】
次に、本発明による薬剤分包装置の具体的実施例について、図面を参照しつつ説明する。
【００１７】
図１には、本発明の一実施例にかかる薬剤分包装置１の機体上部カバーを取り除いて表す平面図が示されており、図２には、本実施例の薬剤分包装置１の内部正面図が示されている。
【００１８】
本実施例の薬剤分包装置１においては、１つの散剤分割用回転テーブル２が設けられ、この回転テーブル２は水平に保たれ環状の凹曲面を有する散剤受け溝３を具え、図示されないモータにより回転するように配設されている。この回転テーブル２の前部上方には、その回転テーブル２上の散剤受け溝３に散剤を供給できるように２つのフィーダ４（４ａ，４ｂ）がそれぞれに設けられている振りまき口５（５ａ，５ｂ）が向かい合わせになるように配置されている。このフィーダ４（４ａ，４ｂ）には、散剤を堰き止めするためのストッパ６（６ａ，６ｂ）がそれぞれ備えられている。
【００１９】
前記回転テーブル２の上方にはその回転テーブル２をを跨ぐように支持アーム７が配され、この支持アーム７の先端に、同一軸心で支持される回転軸８に取りつく掻き落とし羽根９と、その回転軸８に軸受けを介して被嵌するボスに取りつく円形の仕切り板１０とが備えられ、この支持アーム７の先端と反対方向には、散剤受け溝３を清掃するための清掃ヘッド１１が備えられている。この回転テーブル２の上側を横断するように４８個の分割マス１３から構成される固形剤分割供給部１２が設けられている。この分割マス１３の底板１４は固形剤分割供給部１２の下側に設けられているシュート１５の上で順次間欠的に開かれ、分割マス内の固形剤がシュート１５を通じて分包されるようになっている。
【００２０】
前記掻き落とし羽根９の下側にはホッパ１６が設けられ、散剤受け溝３上の散剤またはシュート１５に落とされた固形剤はともにホッパ１６を通じて、ホッパ１６の下方に配置される包装部１７で、１包ずつ分包されるように構成されている。
【００２１】
前記フィーダ４の正面図および側面図が図３（ａ）および図３（ｂ）にそれぞれ示されている。このフィーダ４の側面には、フィーダ４に備えられているストッパ６を上下方向に作動させるための円形状のカム１８が設けられ、このカム１８はカム回転軸１９を介してモータ２０に接続されている。前記カム回転軸１９は、カム１８の偏心位置に接続されているため、カム１８がカム回転軸１９を中心として回転することによりストッパ６を上下方向に作動させることができる。
【００２２】
本実施例において、例えば２種類の散剤を混合薬として分包する場合は、１種類ずつ２つのフィーダ４ａ，４ｂに供給し、回転テーブル２を回転させながらフィーダ４ａ，４ｂの散剤を同時に散剤受け溝３に供給する。次いで、前記円形仕切り板１０により１包量ずつ散剤受け溝３上で混合されている散剤を仕切り、この１包量の混合薬は掻き落とし羽根９を回転軸８を中心として回転させてホッパ１６に供給される。この１包量の混合薬は、ホッパ１６を通じて包装される。
【００２３】
したがって、混合薬を分包する際に予め混合薬を作る必要がなくなるとともに、予めつくられた混合薬を散剤受け溝３に供給する際に生じる混合薬の比重の違いによる分離を恐れる必要がなくなる。また、２種類の散剤を同時に散剤受け溝３に供給することができるため、散剤の供給時間を短縮することができる。
【００２４】
本実施例において、例えば２種類の散剤を１包ずつ分包する場合は先に分包する散剤をフィーダ４ａ（４ｂでもよい）に供給し、回転テーブル２を回転させながらフィーダ４ａの散剤を散剤受け溝３に均一に供給させる。先に分包される散剤を散剤受け溝３に供給している間に、残りのフィーダ４ｂに後に分包される散剤を供給し、ストッパ６ｂで散剤を堰き止めて回転テーブル２上にフィーダ４ｂの散剤がこぼれ落ちないようにする。先に分包される散剤が散剤受け溝３上に供給された後、この散剤受け溝３上の散剤は円形仕切り板１０で仕切られ、掻き落とし羽根９が回転軸８を中心として回転することによりホッパ１６に供給される。この散剤は、ホッパ１６を通じて包装される。先の散剤がすべてホッパ１６に供給された後、散剤受け溝３に掻き残されている散剤は回転テーブル２が回転しつつ清掃ヘッド１１により吸引される。その後、前記カム１８によりストッパ６が上方向に移動され、後に分包される散剤がフィーダ４ｂから散剤受け溝３に供給されて、先に分包された散剤と同様の方法で包装される。
【００２５】
このように、２種類以上の散剤を分包する場合であっても１つの回転テーブル２に対して２つのフィーダ４ａ，４ｂが設けられていることにより、１つの散剤を供給している間に次に供給される散剤を準備しておくことができるため分包時間をかなり短縮することができる。また、各フィーダ４ａ，４ｂにストッパ６ａ，６ｂを設けることにより、準備された散剤が回転テーブル２に不用意にこぼれ落ちることがなくなる。
【００２６】
また、前記固形剤分割供給部１２は本実施例における薬剤分包装置１の左右方向長さの１／２以下であり、分割マス１３の深さは分割マス１３の幅および奥行きの寸法より深いものである。したがって、分割マスの個数および分割マスに収納可能な固形剤の数を減らすことなく固形剤の分割供給部の左右方向長さを狭くするとができるとともに、回転テーブル２が１つであるため装置全体をかなり小型化することができる。
【００２７】
本実施例においては、散剤と固形剤との組合せを任意に設定することができる。例えば、散剤と固形剤とを１包ずつ交互に分包する場合は、散剤受け溝３に散剤を供給し、分割マス１３に１包量の固形剤を供給する。この後、散剤受け溝３の散剤は掻き落とし羽根９を回転軸８を中心として回転することにより、１分包量の散剤がホッパ１６に供給されて分包され、次いで分割マス１３の底板１４が開放され１分包量の固形剤がシュート１５を通じてホッパ１６に供給されて分包される。このように、散剤の供給と固形剤の供給との分包順を変更することにより、１回の服用に応じて散剤と固形剤との組合せを変化させることができる。また、散剤と固形剤とを１包にすることも可能である。
【００２８】
本実施例においては、分割マス１３が４８個とされているが４８個に限られず多くても少なくてもよいが、実用的には４８個程度が適している。
【図面の簡単な説明】
【図１】図１は、本発明の一実施例に係る薬剤分包装置の機体の上部カバーを取り除いて表す平面図である。
【図２】図２は、本実施例の薬剤分包装置の内部正面図である。
【図３】図３は、本実施例の薬剤分包総装置のフィーダのみの拡大図であり、図３（ａ）は、フィーダの正面図であり、図３（ｂ）は、フィーダの側面図である。
【図４】図４は、従来の薬剤分包装置の機体の上部カバーを取り除いて表す平面図である。
【符号の説明】
１  薬剤分包装置
２  散剤分割用回転テーブル
４  フィーダ
６  ストッパ（堰き止め手段）
９  掻き落とし羽根
１２  固形剤分割供給部
１３  分割マス
【図１】
0003720491.tif 000002
【図２】
0003720491.tif 000003
【図３】
0003720491.tif 000004
【図４】
0003720491.tif 000005